(57)【要約】【課題】電力線に接続された電気機器を監視して、機器に関する情報および稼動に関する情報を通信により必要に応じて取得し、情報を表示する装置を提供する。【解決手段】電力線接続監視装置１は、電力２０を供給する電力線２を伝送媒体として電気機器１０と通信を行う通信手段５と、電気機器１０に関する情報を検出する機器情報検出手段１１と、電気機器１０と電力線２との接続状態を検出する接続検出手段８と、電力線２に接続された電気機器１０の稼動状態を検出する稼動検出手段７と、機器情報検出手段１１、接続検出手段８、および稼動検出手段７により生成された信号を出力する出力手段４と、電気機器１０と電力線２との接続状態を保持するプラグ保持手段９と、通信手段５、機器情報検出手段１１、接続検出手段８、稼動検出手段７およびプラグ保持手段９の動作を制御する制御手段６とで構成される。【選択図】  図１
2005080455.tif 000002
【特許請求の範囲】
【請求項１】
電気機器に電力を供給する電力線を伝送媒体として当該電気機器と通信を行う通信手段と、
前記通信の内容から前記電気機器に関する情報を検出し、前記電気機器に関する情報を表す信号を生成する機器情報検出手段と、
前記電気機器と前記電力線との接続状態を検出し、当該接続状態を表す信号を生成する接続検出手段と、
前記通信手段と、前記機器情報検出手段と、前記接続検出手段とを制御する制御手段と、
前記電気機器に関する情報を表す信号、および前記接続状態を表す信号を出力する出力手段とを備えることを特徴とする電力線接続監視装置。
【請求項２】
請求項１に記載の電力線接続監視装置において、
前記電力線に接続された前記電気機器の稼動状態を検出し、当該稼動状態を表す信号を生成する稼動検出手段を更に備え、
前記制御手段は、更に、当該稼動検出手段を制御し、
前記出力手段は、更に、前記稼動状態を表す信号を出力することを特徴とする電力線接続監視装置。
【請求項３】
請求項２に記載の電力線接続監視装置において、
前記出力手段は、前記電気機器に関する信号、前記電気機器と前記電力線との接続状態を表す信号、または前記電気機器の稼動状態を表す信号のうち、少なくとも１つの信号を表示することを特徴とする電力線接続監視装置。
【請求項４】
請求項２または請求項３に記載の電力線接続監視装置において、
前記電気機器と前記電力線との接続状態を保持する保持手段を更に備え、
前記制御手段は、更に、前記保持手段を制御することを特徴とする電力線接続監視装置。
【請求項５】
電力線に接続された時に動作すると共に、前記電力線監視装置に対して情報を送信後に動作を停止する電源回路を備えることを特徴とする請求項１記載の電力線監視装置に接続される電気機器。
【発明の詳細な説明】
【技術分野】
【０００１】
本発明は、電力線接続監視装置および電気機器に関する。
【背景技術】
【０００２】
従来、電力線からの電力で稼動する電気機器が有する電力入力プラグ近傍にＬＥＤを設け、電気機器のメインスイッチとＬＥＤの点灯スイッチとを連動させることにより、この電気機器の稼動状態を電力入力プラグ近傍に設けられたＬＥＤ点灯で表示することが知られている。この電力入力プラグは、下記の特許文献１に記載のように、電力入力プラグと電気機器とを結ぶ電力線とは別にＬＥＤ点灯のための電流供給線を設け、電気機器のメインスイッチと連動してＬＥＤ点灯を行っていた。
また、電力入力プラグと接続された電気機器についての名称等の情報を、電力入力プラグ側から認知する方法としては、下記特許文献２に記載のように、電力入力プラグの絶縁部に電気機器の名前を記載するか、または電気機器の名前を記載したカードやテープをコンセントプラグに貼付していた。
【特許文献１】実開平７−１５８４
【特許文献２】実登−３０３６８５５
【発明の開示】
【発明が解決しようとする課題】
【０００３】
しかしながら、特許文献１では、ＬＥＤ点灯のため使用中であるか否かは判別することができたが、どのような機器が接続されているかどうかはわからなかった。
また、特許文献２では、電力入力プラグと接続している電気機器を取り替えた場合は、接続されている電気機器に関する名称等の記載内容を、取り替えた電気機器に応じて修正する必要があった。
【課題を解決するための手段】
【０００４】
本発明による電力線接続監視装置は、電気機器に電力を供給する電力線を伝送媒体として当該電気機器と通信を行う通信手段と、前記通信の内容から前記電気機器に関する情報を検出し、前記電気機器に関する情報を表す信号を生成する機器情報検出手段と、前記電気機器と前記電力線との接続状態を検出し、当該接続状態を表す信号を生成する接続検出手段と、前記通信手段と、前記機器情報検出手段と、前記接続検出手段とを制御する制御手段と、前記電気機器に関する情報を表す信号、および前記接続状態を表す信号を出力する出力手段とを備えることを特徴とする。
【０００５】
上記構成によれば、電気機器の電力入力プラグと電力線とを接続することで、電力線接続監視装置の接続検出手段が接続状態の変化を検出して、接続状態を表す信号を生成する。生成された接続状態を表す信号は、制御手段に通知されるとともに出力手段に送信される。接続状態を認識した制御手段は、通信手段に対して、電気機器との通信を指示する。通信の指示を受けた通信手段は、電気機器と通信を行う。機器情報検出手段は、通信手段の行う通信から、電気機器に関する情報を検出して、電気機器に関する信号を生成する。生成された電気機器に関する信号は、制御手段に通知されるとともに出力手段に送信される。出力手段に送信された接続状態を表す信号および電気機器に関する信号は、出力手段により出力される。従って、電力入力プラグと接続している電気機器に関する情報は、通信手段が電気機器と直接に通信をすることで得られるため、接続する電気機器を取り替えても、その都度、接続検出手段が接続を検出し、通信手段が通信を行い、新しい電気機器に関する情報を取得できるとともに、得られた情報は出力手段で出力することができる。また、電気機器との通信は電力線を伝送媒体とするため、電気機器との接続は電力線のみで良く、別途接続線を設ける必要がないため、接続配線が容易になる。
【０００６】
本発明の電力線接続監視装置は、前記電力線に接続された前記電気機器の稼動状態を検出し、当該稼動状態を表す信号を生成する稼動検出手段を更に備え、前記制御手段は、更に、当該稼動検出手段を制御し、前記出力手段は、更に、前記稼動状態を表す信号を出力することが好ましい。
【０００７】
上記構成によれば、電力線に接続された電気機器の稼動状態が変化した場合、電力線接続監視装置の稼動検出手段が稼動状態を検出して、稼動状態を表す信号を生成する。生成された稼動状態を表す信号は、制御手段に通知されるとともに出力手段に送信される。稼動状態を認識した制御手段は、通信手段に対して、電気機器との通信を指示する。通信の指示を受けた通信手段は、電気機器と通信を行う。機器情報検出手段は、通信手段の行う通信から、電気機器に関する情報を検出して、電気機器に関する信号を生成する。生成された電気機器に関する信号は、制御手段に通知されるとともに出力手段に送信される。出力手段に送信された稼動状態を表す信号および電気機器に関する信号は、出力手段により出力される。従って、電力入力プラグと接続され、電力線からの電力を利用する電気機器についての最新の稼動状態が出力手段で出力されるため、出力手段により常に最新の電気機器の稼動状態を知ることができる。
【０００８】
本発明の電力線接続監視装置では、前記出力手段は、前記電気機器に関する信号、前記電気機器と前記電力線との接続状態を表す信号、または前記電気機器の稼動状態を表す信号のうち、少なくとも１つの信号を表示することが好ましい。
【０００９】
上記構成によれば、電気機器に関する信号、電気機器と電力線との接続状態を表す信号、および電気機器の稼動状態を表す信号を表示することで、電気機器に関する情報、電気機器と電力線との接続状態を示す情報および電気機器の稼動状態を示す情報を出力手段から視覚的に得ることができる。
【００１０】
本発明の電力線接続監視装置は、前記電気機器と前記電力線との接続状態を保持する保持手段を更に備え、前記制御手段は、更に、前記保持手段を制御することが好ましい。
【００１１】
上記構成によれば、電力線に接続された電気機器が稼動状態になった場合、制御手段は、稼動検出手段から稼動状態を表す信号を受け、保持手段に対して保持動作を指示する。また、この電気機器が稼動状態から非稼動状態になった場合、同様にして制御手段は、保持手段に対して保持動作の解除を指示する。従って、電気機器が稼動状態である場合、保持手段により接続状態は保持されるため、稼動中の電気機器の電力入力プラグを電力線のコンセントから誤って抜いてしまうという動作を防ぐことができる。
【００１２】
そして前述の電力線監視装置に接続される電気機器は、電力線に接続された時に動作すると共に、前記電力線監視装置に対して情報を送信後に動作を停止する電源回路を備えることが好ましい。
【００１３】
上記構成によれば、電力線監視装置に接続され電力の供給を受けた電気機器は、電源回路が動作を開始して電力線監視装置に情報を送信し、情報の送信終了後は電源回路の動作が停止するため、電気機器の待機時に消費する電力を削減できる。
【発明を実施するための最良の形態】
【００１４】
本発明に係る電力線接続監視装置の実施の形態について、図面を参照して説明する。
【実施例１】
【００１５】
図１は、本発明の実施例１に係る電力線接続監視装置１の内部構成を示すブロック図である。この電力線接続監視装置１は、家庭用の交流電源から電力線２を伝送媒体として受け取った交流電力２０を、この交流電力２０により動作する電気機器１０に供給すべく、電力線接続監視装置１を制御する制御手段６と、電気機器１０と通信をする通信手段５と、電気機器１０に関する情報を検出する機器情報検出手段１１と、電気機器１０との接続を検出する接続検出手段８と、電気機器１０の電力入力プラグ１２を保持するプラグ保持手段９と、電気機器１０の稼動状態を検出する稼動検出手段７と、電気機器１０の接続状態および稼動状態を表示する表示手段４とで構成される。
【００１６】
制御手段６は、接続検出手段８および稼動検出手段７から信号を入力し、通信手段５と、機器情報検出手段１１と、表示手段４と、プラグ保持手段９とに対して動作を制御する。
通信手段５は制御手段６からの制御に従い、電力線２を伝送媒体として通信が可能な通信手段を備える電気機器１０と通信を行う。
機器情報検出手段１１は、通信手段５が行った通信の内容から、電気機器１０に関する情報を検出して、電気機器１０に関する情報を表す信号を生成する。
接続検出手段８は、電気機器１０の電力入力プラグ１２が電力供給コンセント３に挿入および引き抜かれるのを検出して、接続状態を表す信号を生成して制御手段に通知する。
プラグ保持手段９は、制御手段６からの制御に従い、電力供給コンセント３に挿入された電力入力プラグ１２を抜けないように保持する。ただし、電力入力プラグ１２を保持している時に、電力線接続監視装置１に供給されている交流電力２０が遮断された場合や、通信手段５による電気機器１０との通信が不可能になった場合は、電力入力プラグ１２の保持は解除される。
稼動検出手段７は、電力線２と接続して、電力供給コンセント３に接続されている電気機器１０の稼動状態を検出して、稼動状態を表す信号を生成して制御手段６に通知する。検出方法は、例えば、稼動検出手段７内部に電力計を設け、電力供給コンセント３に接続された電気機器１０の消費電力の変化から稼動状態を検出する方法や、電気機器１０と通信手段５との間の通信の内容から稼動状態を検出する方法が採用できる。
表示手段４は、制御手段６からの制御に従い、電気機器１０と電力供給コンセント３との接続状態、電気機器１０に関する情報、および電気機器１０の稼動状態を表示する。
【００１７】
図２は、電力線接続監視装置１と電気機器１０との接続状態が変化した場合の処理を示すフロー図であり、図１および図２を参照して説明する。
(1)電気機器１０を扱う人は、電気機器１０の電力入力プラグ１２を電力供給コンセント３に挿入する。即ち、電気機器１０は電力線２に接続される（ステップＳ１）。
(2)接続検出手段８は、電力供給コンセント３の接続状態に変化があったことを検出して、制御手段６へ検出信号を送信する（ステップＳ２）。
(3)制御手段６は、接続検出手段８からの信号を受け、通信手段５に対して電力供給コンセント３に接続された機器に関する情報収集を指示する（ステップＳ３）。
(4)通信手段５は、電気機器１０へ電気機器１０に関する問い合わせ信号を送信する（ステップ４）。
(5)電気機器１０は、通信手段５からの信号を受け、電気機器１０の機種名等に関する情報を作成する（ステップ５）。
(6)電気機器１０は、作成した電気機器１０に関する情報を、通信手段５経由で機器情報検出手段１１へ送信する（ステップ６）。
(7)制御手段６は、通信手段５が受信し、機器情報検出手段１１が受信信号から生成した電気機器１０に関する情報信号を受け、表示手段４に対して電気機器１０に関する情報の表示を指示し、表示手段は、電気機器１０に関する情報を表示する（ステップ７）。
この一連の動作のために、電気機器には通信用電源が用意され、ステップ６の応答か、ステップ７の後の電力線接続監視装置からの信号（電気機器から応答を送信したことに対する信号）により、通信用電源がオフにされることが待機時の消費電力削減の観点から望ましい。
【００１８】
(8) 電気機器１０を扱う人は、電気機器１０の稼動スイッチを入れる。即ち、電気機器１０は、稼動状態になる（ステップ８）。
(9)稼動検出手段７は、電気機器１０の稼動状態に変化があったことを検出して、制御手段６へ検出信号を送信する（ステップ９）。
(10)制御手段６は、稼動検出手段７からの信号を受け、通信手段５に対して電力供給コンセント３に接続された電気機器１０の稼動稼動状態に関する情報収集を指示する（ステップ１０）。
(11)通信手段５は、電気機器１０に対して稼動に関する問い合わせ信号を送信する（ステップ１１）。
(12)電気機器１０は、稼動状態に関する情報を作成する（ステップ１２）。
(13)電気機器１０は、作成した稼動状態に関する情報を、通信手段５経由で機器情報検出手段１１へ送信する（ステップ１３）。
(14)制御手段６は、通信手段５が受信し、機器情報検出手段１１が受信信号から生成した電気機器１０の稼動状態に関する情報信号を受け、表示手段４に対して電気機器１０の稼動状態に関する情報の表示を指示し、表示手段は、電気機器１０の稼動状態に関する情報を表示する（ステップ１４）。
(15)制御手段６は、更に、プラグ保持手段９に対して、電力供給コンセント３に接続された電気機器１０の電力入力プラグ１２を保持するように指示し、プラグ保持手段９は、電力入力プラグ１２を保持する（ステップ１５）。
【００１９】
(16)電気機器１０を扱う人は、電気機器１０の稼動スイッチを切る。即ち、電気機器１０が非稼動状態になる（ステップ１６）。
(17)稼動検出手段７は、電気機器１０の稼動状態に変化があったことを検出して、制御手段６へ検出信号を送信する（ステップ１７）。
(18)制御手段６は、稼動検出手段７からの信号を受け、通信手段５に対して電力供給コンセント３に接続された電気機器１０の稼動稼動状態に関する情報収集を指示する（ステップ１８）。
(19)通信手段５は、電気機器１０に対して稼動に関する問い合わせ信号を送信する（ステップ１９）。
(20)電気機器１０は、稼動状態に関する情報を作成する（ステップ２０）。
(21)電気機器１０は、作成した稼動状態に関する情報を、通信手段５経由で機器情報検出手段１１へ送信する（ステップ２１）。
(22)制御手段６は、通信手段５が受信し、機器情報検出手段１１が受信信号から生成した電気機器１０の稼動状態に関する情報信号を受け、表示手段４に対して電気機器１０の稼動状態に関する情報の表示を指示し、表示手段は、電気機器１０の稼動状態に関する情報を更新して表示する（ステップ２２）。
(23)制御手段６は、更に、プラグ保持手段９に対して、電力供給コンセント３に接続された電気機器１０の電力入力プラグ１２の保持を解除するように指示し、プラグ保持手段９は、電力入力プラグ１２の保持を解除する（ステップ２３）。
【００２０】
(24)電気機器１０を扱う人は、電力供給コンセント３に挿入されていた電気機器１０の電力入力プラグ１２を電力供給コンセント３から抜く。即ち、電気機器１０と電力線２との接続は解除される（ステップ２４）。
(25)接続検出手段８は、電力供給コンセント３との接続が解除されたことを検出して、制御手段６へ検出信号を送信する（ステップ２５）。
(26)制御手段６は、接続検出手段８からの信号を受け、表示手段４に対して電気機器１０に関する表示の消去を指示する（ステップ２６）。
(27)表示手段は、表示していた電気機器１０に関する情報を消去する（ステップ２７）。
以上の処理の流れより、電力線接続監視装置１は、電気機器１０の接続状態および稼動状態が変化をした場合に、変化した状態を自動的に検出して表示することができる。
【００２１】
図３は、電力線接続監視装置１を含む通信システムの概略を示す図である。家庭用の電力線２を伝送媒体とする通信システムは、エコーネットが知られている。エコーネットは、ホームネットワーク３０を家庭内に構築して、このホームネットワーク３０内にコントローラ３１を設けることで、ホームネットワーク３０に接続された電気冷蔵庫等の電気機器１０を、同じホームネットワーク３０内の他の機器から制御することが可能になる。更に、ホームネットワーク３０にゲートウェイ（ＧＷ）３２を設けることにより、外部のネットワーク３３からのアクセスも可能になる。電力線接続監視装置１および電気機器１０は、エコーネット機器としての必要な通信手段を備えている。エコーネットで接続されたエコーネット機器間は相互通信が可能であるため、電力線接続監視装置１と電気機器１０は、直接通信を行うことができる。
【００２２】
図４は、本発明の実施例１に係る電力線接続監視装置１の外観斜視図である。この電力線接続監視装置１は箱型の筐体に組み込まれ、筐体の上面には電力供給コンセント３、表示画面４および表示ランプ４０がそれぞれ３個配置され、筐体の側面には電力線ケーブル２Ａが筐体内から外部に出ている。電力線ケーブル２Ａの先端には図示を略した電力入力プラグ２Ｂが接続され、電力入力プラグ２Ｂは１００Ｖの家庭用交流電力線と接続して、電力を電力線接続監視装置１に取り込む。また、筐体の上面の電力供給コンセント３は電気機器に１００Ｖの交流電力を供給し、表示画面４および表示ランプ４０は、電力供給コンセント３に接続された電気機器との接続情報および電気機器の稼動情報を表示する。ここで電力供給コンセント３、表示画面４および表示ランプ４０の構成は、電力供給コンセント３Ａ、表示画面４Ａおよび表示ランプ４０Ａで1系統を構成するため、筐体の上面には３系統が構成されている。
【００２３】
電力供給コンセント３Ａと電力供給コンセント３Ｂには、それぞれ電力入力プラグ１２Ａと電力入力プラグ１２Ｂが接続されている。電力入力プラグ１２Ａと電力入力プラグ１２Ｂは、図示を略した電気機器１０Ａおよび電気機器１０Ｂと接続され、電気機器１０Ａおよび電気機器１０Ｂに対して電力を供給する。表示画面４は液晶表示パネルで構成され、電力供給コンセント３と接続されている電気機器に関する機種名等の情報および電気機器の稼動情報を表示する。また、表示ランプ４０はＬＥＤで構成され、電気機器が稼動状態にある場合のみ点灯する。
【００２４】
ここで電力入力プラグ２Ａは家庭用交流電力線と接続されているとともに、電力入力プラグ１２Ａに接続された電気機器１０Ａは稼動状態であり、電力入力プラグ１２Ｂに接続された電気機器１０Ｂは稼動状態ではない。従って、表示画面４Ａには電気機器１０Ａに関する情報および電気機器１０Ａの稼動情報が表示されるとともに、稼動中であることを示す表示ランプ４０Ａが点灯している。また、表示画面４Ｂには、電気機器１０Ｂに関する情報が表示されている。更に、電力供給コンセント３Ｃには、電力入力プラグ１２が接続されていないので、表示画面４Ｃには何も表示されない。
【００２５】
図５は、電力線接続監視装置１の電力供給コンセント３内部の概略を示す図である。
電力供給コンセント３の通電接続部は、それぞれ一対のプラグ刃受け３１と、接続検出部８０と、プラグ保持部９０とで構成されている。プラグ刃受け３１は、導電性の金属により板バネ状に形成されており、電力入力プラグ１２のプラグ刃１２０が接触する部分に貫通孔３３が形成されている。電力入力プラグ１２をコンセント３に挿入することで、プラグ刃受け３１とプラグ刃１２０は接触状態となる。従って、電力供給端子３２から供給される電力は、電力入力プラグ１２を有する図示を略した電気機器１０に伝わる。
【００２６】
接続検出部８０は、光を射出する射出部８１と、射出した光を受ける受光部８２が空間を隔てて配置され、射出部８１と受光部８２との間に遮蔽物が入って受光部８２へ入る光が遮断されることを検知して電気信号に変換するセンサーであり、射出した光がプラグ刃受け３１の貫通孔３３を通過するように配置されている。ここで、電力入力プラグ１２が電力供給コンセント３に挿入された場合、射出した光はプラグ刃１２０により遮断されることから、接続検出部８０は電力供給コンセント３と電力入力プラグ１２との接続を検出する。また、同様にして、電力入力プラグ１２が電力供給コンセント３から抜かれた場合は、受光部８２での受光が再開されることで、接続検出部８０は、電力入力プラグ１２が電力供給コンセント３から離脱したことを検出する。
【００２７】
プラグ保持部９０は、電動アクチュエータ９１と、一対の非導電性部材９２と、保持部９３で構成される。電動アクチュエータ９１は電力供給端子９４から電力が供給されることで一方向へ移動して、電力を解除すると元の位置に復帰する。一対の非導電性部材９２は、それぞれプラグ刃受け３１の板面が電力入力プラグ１２と接触する部分の反対面を挟む位置にあり、一方の非導電性部材９２は一方の面が電動アクチュエータ９１の移動する端面に固定され、他方の面はプラグ刃受け３１の板面に対向して設置される。他方の非導電性部材９２は、一方の面はプラグ刃受け３１の板面に固定され、他方の面は保持部９３に固定されている。保持部９３は、図示を略した電力供給コンセント３の筐体に固定されている。また、電動アクチュエータ９１は通電された場合、電動アクチュエータ９１の先端に固定された一方の非導電性部材９２が他方の非導電性部材９２に向かい移動するように設計されている。ここで、電力入力プラグ１２が電力供給コンセント３に挿入され、電動アクチュエータ９１に電力供給端子９４から電力が供給された場合、電動アクチュエータ９１と、電動アクチュエータ９１の先端に固定された一方の非導電性部材９２は、他方の非導電性部材９２に向かい移動する。この移動により、プラグ刃１２０を挟むように接触しているプラグ刃受け３１は、一対の非導電性部材９２で挟持される。従って、プラグ刃１２０とプラグ刃受け３１との接触力が増して、電力入力プラグ１２は電力供給コンセント３により保持されることになり、電力入力プラグ１２は電力供給コンセント３から簡単に抜き取れなくなる。
また、電動アクチュエータ９１への電力供給が停止された場合、電動アクチュエータ９１は復元力で元の位置に戻り、一対の非導電性部材９２によるプラグ刃受け３１の挟持が解除されるため、電力入力プラグ１２の保持は解除される。
【００２８】
前述のような実施例１によれば、次にような効果がある。
（１）電力線接続監視装置１の電力供給コンセント３近傍にある表示画面４および表示ランプ４０は、電力供給コンセント３に接続された電気機器１０の機器に関する情報、および稼動情報を表示しており、電力供給コンセント３に接続する電気機器１０を取り替えた場合でも、通信手段５により、新しく接続された電気機器１０に関する情報に自動更新される。
（２）電力線接続監視装置１と電気機器１０との通信は、電力線２を介して行われるため，電力線接続監視装置１と電気機器１０とは通信のための回線を別途設けることなく通信ができる。
（３）電力線接続監視装置１のプラグ保持手段９は、電力供給コンセント３と接続して稼動している電気機器１０の電力入力プラグ１２を保持しているため、稼動中の電気機器１０の電力入力プラグ１２を誤って抜いてしまい、電気機器１０を損傷する事故を防ぐことが出来る。
【００２９】
なお、本発明は前述の実施例に限定されるものではなく、本発明の目的を達成できる範囲での変形，改良等は本発明に含まれるものである。
例えば、前記実施例では、制御手段６、通信手段５および表示手段４は電力線接続監視装置１の筐体内に設置していたが、当該筐体から適宜分離され、ケーブルで接続されていても良い。
また、電力線を伝送媒体とする通信手段５については、エコーネットに限らない。接続された機器間のみで通信を行うピアツウピア（PEER TO PEER）形式の通信であっても良い。
【図面の簡単な説明】
【００３０】
【図１】本発明の実施例１に係る電力線接続監視装置１の内部構成を示すブロック図。
【図２】前記実施例における電力線接続監視装置１と電気機器１０との処理を示すフロー図。
【図３】前記実施例における電力線接続監視装置１を含む通信システムの概略を示す図。
【図４】前記実施例における電力線接続監視装置１の外観斜視図。
【図５】前記実施例における電力線接続監視装置１の電力供給コンセント３内部の概略を示す図。
【符号の説明】
【００３１】
１・・・電力線接続監視装置
２・・・電力線
３・・・電力供給コンセント
４・・・表示手段
５・・・通信手段
６・・・制御手段
７・・・稼動検出手段
８・・・接続検出手段
９・・・プラグ保持手段
１０・・・電気機器
１１・・・機器情報検出手段
１２・・・電力入力プラグ
２０・・・交流電力
【図１】
2005080455.tif 000003
【図２】
2005080455.tif 000004
【図３】
2005080455.tif 000005
【図４】
2005080455.tif 000006
【図５】
2005080455.tif 000007